(57)【要約】本発明は、一以上の部分から成る少なくとも１本の形材（２）を有すると共に、本質的に水平に向けられた少なくとも１枚の平坦な棚要素（４）と、少なくとも１個のブラケット要素（３）とを有するディスプレイ装置（１．１）に関し、各形材（２）は、少なくとも１枚の中央腹板（６）とその上に配置された２個の互いに平行な内側フランジ（７）とを備え、形材（２）の内の少なくとも１本は垂直に向けられ、ブラケット要素（３）は、少なくとも１本の挟み込みねじ（１７）によって互いに引き寄せることができる上側部品（１３）と下側部品（１４）とから構成され、上側部品（１３）と下側部品（１４）はそれぞれ本質的に互いに平行な挟み込み面（１５）を備え、上側部品（１３）及び／又は下側部品（１４）は、内側フランジ（７）に嵌め込むことによって、圧入により取り外し可能に内側フランジ（７）に接続できるクランプレール（１８）及び／又はクランプレールセグメントを備え、挟み込みねじ（１７）の締め付けにより、少なくとも１個のブラケット要素（３）の挟み込み面（１５）の間に各棚要素（４）を圧力嵌めにより固定できる。【選択図】図１
2010504177.tif 000002
【特許請求の範囲】
【請求項１】
一以上の部分から成る少なくとも１本の形材（２）を有すると共に、本質的に水平に向けられた少なくとも１枚の平坦な棚要素（４）と、少なくとも１個のブラケット要素（３）とを有するディスプレイ装置（１．１）であって、各形材（２）は、少なくとも１枚の中央腹板（６）とその上に配置された２個の互いに平行な内側フランジ（７）とを備え、形材（２）の内の少なくとも１本は垂直に向けられ、ブラケット要素（３）は、少なくとも１本の挟み込みねじ（１７）によって互いに引き寄せることができる上側部品（１３）と下側部品（１４）とから構成され、上側部品（１３）と下側部品（１４）はそれぞれ本質的に互いに平行な挟み込み面（１５）を備え、上側部品（１３）及び／又は下側部品（１４）は、内側フランジ（７）に嵌め込むか、又は内側フランジ（７）の間に差し込むことによって、圧入により取り外し可能に内側フランジ（７）に接続できるクランプレール（１８）及び／又はクランプレールセグメントを備え、挟み込みねじ（１７）の締め付けにより、少なくとも１個のブラケット要素（３）の挟み込み面（１５）の間に各棚要素（４）を圧力嵌めにより固定できるディスプレイ装置。
【請求項２】
それぞれ一体的に形成された少なくとも４本の形材（２）で取り囲むように構成された少なくとも１体のフレーム（２３．１〜２３．ｎ）を有し、該フレームに少なくとも１枚の垂直な面状の化粧張り要素（２５）が配置され、各形材（２）はフレーム（２３．１〜２３．ｎ）によって包囲された面に垂直に向けられた少なくとも１枚の中央腹板（６）と、フレーム（２３．１〜２３．ｎ）の外面に向けられた２個の互いに平行な外側フランジ（８）と、フレーム（２３．１〜２３．ｎ）の内面に向けられた２個の互いに平行な内側フランジ（７）とを備え、内側フランジ（７）の間の間隔が外側フランジ（８）の間の間隔よりも小さく、各化粧張り要素（２５）が少なくとも２本の形材（２）の外側フランジ（８）の内の１個の外面に載置されるディスプレイ装置（１．２）。
【請求項３】
少なくとも１枚の水平な棚要素（４）が設けられており、２本の互いに向き合う本質的に垂直に向けられた形材（２）の内の少なくとも１本の内側フランジ（７）に、少なくとも１個のブラケット要素（３）が高さ調節可能に配置され、ブラケット要素（３）が２個の本質的に互いに平行な挟み込み面（１５）と共に、内側フランジ（７）に嵌め込むか、又は内側フランジ（７）の間に差し込むことによって、圧入により取り外し可能に内側フランジ（７）に接続できるクランプレール（１８）又はクランプレールセグメントによるガイドとを有しており、少なくとも１個のブラケット要素（３）の挟み込み面（１５）の間に各棚要素（４）を圧力嵌めにより固定できることを特徴とする、請求項２記載のディスプレイ装置（１．２）。
【請求項４】
ブラケット要素（３）は、少なくとも１本の挟み込みねじ（１７）によって互いに引き寄せることができる上側部品（１３）と下側部品（１４）とから構成され、上側部品（１３）と下側部品（１４）はそれぞれ挟み込み面（１５）を備え、上側部品（１３）及び／又は下側部品（１４）はクランプレール（１８）及び／又はクランプレールセグメントを備えており、挟み込みねじ（１７）の締め付けにより棚要素（４）を固定できることを特徴とする、請求項３記載のディスプレイ装置（１．２）。
【請求項５】
形材（２）は、４本の形材（２）で取り囲むように構成されたフレーム（２３．１〜２３．ｎ）の外面に向けられた互いに平行な外側フランジ（８）を備えることを特徴とする、請求項１記載のディスプレイ装置（１.１）。
【請求項６】
少なくとも１枚の垂直な面状の化粧張り要素（２５）が配置され、各化粧張り要素（２５）が少なくとも２本の形材（２）の外側フランジ（８）の１個の外面に載置されることを特徴とする、請求項５記載のディスプレイ装置（１.１）。
【請求項７】
各内側フランジ（７）の間の間隔は外側フランジ（８）の間の間隔よりも小さいことを特徴とする、請求項５又は６記載のディスプレイ装置（１．１）。
【請求項８】
各内側フランジ（７）は、その縁部に中央腹板（６）と平行にそれぞれ他方の内側フランジ（７）に向いている固定腹板（１０）を備えることを特徴とする、請求項１〜７のいずれか１項に記載のディスプレイ装置（１．１、１．２）。
【請求項９】
ブラケット要素（３）又は上側部品（１３）及び／又は下側部品（１４）は少なくとも１個の突出部（１９）を有し、ブラケット要素（３）が内側フランジ（７）に向かって最大限押圧されると、少なくとも突出部（１９）が内側フランジ（７）の間又は固定腹板（１０）の間に圧力嵌めされることを特徴とする、請求項１、３〜８の少なくとも１項に記載のディスプレイ装置（１．１、１．２）。
【請求項１０】
ブラケット要素（３）は少なくとも１本の留めねじで形材（２）に固定できることを特徴とする、請求項１、３〜９の少なくとも１項に記載のディスプレイ装置（１．１、１．２）。
【請求項１１】
フレームのそれぞれの２本の形材（２）の隣接する端部の間に角継ぎ手（２４）が設けられており、両形材（２）の中央腹板（６）と両内側フランジ（７）と両固定腹板（１０）とによって囲まれた空間のそれぞれ１部分に、端部から角継ぎ手（２４）を遊びなく又は僅かな遊びで形材（２）が互いに直角になるように挿入できることを特徴とする、請求項８〜１０のいずれか１項に記載のディスプレイ装置（１．１、１．２）。
【請求項１２】
角継ぎ手（２４）は少なくとも１個のねじ山を有しており、形材（２）の少なくとも１枚の中央腹板（６）に設けられた第１の孔を通してねじ山に螺合させた位置決めねじによって滑らないように固定できることを特徴とする、請求項１１記載のディスプレイ装置（１．１、１．２）。
【請求項１３】
各外側フランジ（８）は、その縁部に中央腹板（６）と平行にそれぞれ１枚の外部腹板（１１）を有しており、外部腹板（１１）がそれぞれ他方の外側フランジ（８）に向き、及び／又はそれぞれ他方の外側フランジ（８）から離れる方向に向いていることを特徴とする、請求項２〜１２の少なくとも１項に記載のディスプレイ装置（１．１、１．２）。
【請求項１４】
形材（２）の内面に内側フランジ（７）と平行に２個の補助フランジ（９）が、補助フランジ（９）の間に内側フランジ（７）が位置するように配置され、補助フランジ（９）の間の間隔が内側フランジ（７）の間の間隔より大きく、且つ外側のフランジ（８）の間の間隔より小さく、化粧張り要素（２５）が少なくとも１本の形材（２）の補助フランジ（９）の内の１個に少なくとも１個の組み付け補助固定手段によって取り外し可能に固定できることを特徴とする、請求項２〜４、６〜１３の少なくとも１項に記載のディスプレイ装置（１．１、１．２）。
【請求項１５】
前記組み付け補助固定手段が２本の互いに接着する条片から成る面ファスナーとして構成され、第１の条片が補助フランジ（９）裏面上に配置され、第２の条片が化粧張り要素（２５）上に配置されていることを特徴とする、請求項１４記載のディスプレイ装置（１．１、１．２）。
【請求項１６】
形材（２）の内の少なくとも１本が壁組み付け要素によって壁に固定でき、壁組み付け要素が壁に固定するための少なくとも１個の第２の孔又は少なくとも１個の長穴を備えるプレートとクリップとを有し、プレートは外側フランジ（８）の内の１個の外面に当接しており、プレートと不動に又は調節可能に接続されたクリップが内側フランジ（７）の内の１個と補助フランジ（９）の内の１個との間、又は内側フランジ（７）の間に嵌入して、形材（２）がその内面の方向に、且つ壁と垂直方向に滑らないように固定されていることを特徴とする、請求項２〜１５の少なくとも１項に記載のディスプレイ装置（１．１、１．２）。
【請求項１７】
形材（２）の内の少なくとも１本に化粧張り要素（２５）を固定するための少なくとも１個の固定要素（２７）が設けられていることを特徴とする、請求項２〜４、６〜１６の少なくとも１項に記載のディスプレイ装置（１．１、１．２）。
【請求項１８】
固定要素（２７）として化粧張り要素（２５）の裏面に弾性的な係止要素（２８）を備える少なくとも１個の保持クリップが配置されており、化粧張り要素（２５）がその前面の方向に脱落しないように、係止要素（２８）が内側フランジ（７）の内の１個の後部又は補助フランジ（９）の内の１個の後部に突入して係止していることを特徴とする、請求項１７記載のディスプレイ装置（１．１、１．２）。
【請求項１９】
固定要素（２７）として化粧張り要素（２５）の裏面に、止め板を備える少なくとも１枚の固定プレートが配置され、化粧張り要素（２５）がその前面の方向に脱落しないように、角継ぎ手（２４）の内の１個の位置決めねじ又は他のねじを止め板にねじ込めることを特徴とする、請求項１７又は１８記載のディスプレイ装置（１．１、１．２）。
【請求項２０】
両外側フランジ（８）の内面に中央腹板（６）と外部腹板（１１）との間にそれぞれ１個の内部腹板（１２）が配置され、内部腹板（１２）の縁部の間隔が外部腹板（１１）の互いに向き合う縁部の間の間隔と等しいことを特徴とする、請求項１３〜１９のいずれか１項に記載のディスプレイ装置（１．１、１．２）。
【請求項２１】
内部腹板（１２）の縁部の間の間隔は２０〜２１ｍｍであり、内部腹板（６）の外面と外部腹板（１１）の外面との間隔は１７．５〜２０ｍｍであることを特徴とする、請求項２０記載のディスプレイ装置（１．１、１．２）。
【請求項２２】
フレーム（２３．１〜２３．ｎ）の下側を画定している形材（２）に少なくとも１個の高さ調節のための調節要素が配置されていることを特徴とする、請求項２〜２１の少なくとも１項に記載のディスプレイ装置（１．１、１．２）。
【請求項２３】
フレーム（２３．１〜２３．ｎ）の下側を画定している形材（２）の外側フランジ（８）の間に箱形材が配置され、調節要素は、調節ねじと、調節ナットと、箱形材の形材（２）に向けられた面に設けられた第３の孔と、下側形材（２）の中央腹板（６）に設けられた第４の孔とを有し、第３の孔は下方に向いている第１の調節ねじ端を差し通すのに十分大きく、第２の調節ねじ端はスリットを備えており、第４の孔は第２の調節ねじ端を差し通すのに十分大きく、調節ナットは内側フランジ（７）の間に配置されていて回動しないように内側フランジ（７）により固定され、調節ナットに調節ねじをねじ込めることを特徴とする、請求項２２記載のディスプレイ装置（１．１、１．２）。
【請求項２４】
第１の調節ねじ端はねじ頭によって形成されていることを特徴とする、請求項２３記載のディスプレイ装置（１．１、１．２）。
【請求項２５】
２本又は３本又は４本の形材（２）がそれらの外側フランジ（８）に沿って、箱形材又はＬ形材又はＴ形材又はＸ形材として形成されて形材（２）の外側フランジ（８）の間に挿入された接続形材（５．１〜５．ｎ）によって互いに接続でき、接続形材（５．１〜５．ｎ）は形材（２）の外側フランジ（８）又は内部腹板（１２）と内部腹板（１１）との間で遊びなく、又は僅かな遊びで保持されることを特徴とする、請求項２〜２４の少なくとも１項に記載のディスプレイ装置（１．１、１．２）。
【請求項２６】
形材（２）の内の少なくとも１本の中央腹板（６）及び／又は接続形材（５．１〜５．ｎ）は、形材（２）の内の少なくとも１本の中央腹板（６）に向けられた面に少なくとも１個の長穴（２９．１、２９．２）が設けられており、これらの長穴は長手方向に延びて端部で拡大されて第５の孔（３０）が形成されており、長穴（２９．１、２９．２）の１個に対応して形材（２）の内の少なくとも１本の中央腹板（６）及び／又は接続形材（５．１〜５．ｎ）に、その形材（２）の１本の中央腹板（６）に向けられた面に突片（３１）が設けられており、突片（３１）の寸法は、突片（３１）が第５の孔（３０）を通過した後に長穴（２９．１、２９．２）内に移動でき、取り外し可能な接続が生じるように設定されていることを特徴とする、請求項２５記載のディスプレイ装置（１．１、１．２）。
【請求項２７】
接続形材（５．１〜５．ｎ）の、中央腹板（６）の内の１枚に向けられた各面に第５の孔（３０）を備える少なくとも１個の長穴（２９．１、２９．２）が設けられ、中央腹板（６）の内の１枚に向けられた一方の面の全ての長穴（２９．１、２９．２）が、接続形材（５．１〜５．ｎ）の第１の端部に向かってそれぞれ第５の孔（３０）を有し、中央腹板（６）の内の１枚に向けられた他方の面の全ての長穴（２９．２、２９．１）が、接続形材（５．１〜５．ｎ）の第２の端部に向かってそれぞれ第５の孔（３０）を有し、全ての中央腹板（６）がこれに対応して突片（３１）を備えることを特徴とする、請求項２６記載のディスプレイ装置（１．１、１．２）。
【請求項２８】
固定要素（２７）は、化粧張り要素（２５）の裏面に配置された受容部と、化粧張り要素（２５）の前面から磁石で操作できる揺動可能なボルトを有しており、ロック位置ではボルトは内側フランジ（７）の内の１個の後部又は補助フランジ（９）の内の１個の後部を把持して、化粧張り要素（２５）がその前面の方向に脱落しないように固定されていることを特徴とする、請求項１７〜２７のいずれか１項に記載のディスプレイ装置（１．１、１．２）。
【発明の詳細な説明】
【技術分野】
【０００１】
本発明は、特に理髪店等の店舗の飾り付けや見本市会場で使用されるディスプレイ装置に関する。
【背景技術】
【０００２】
このようなディスプレイ装置は、一部は装飾目的に、一部は保管及び展示目的に用いられ、又は部屋の分割に用いられる。ＷＯ０３／０８７４８８に基づく公知の壁要素は、周囲を取り囲むフレームによって構成された台枠を有し、フレームに面状の化粧張り要素を備える垂直の壁面と水平支持体要素が配置されている。フレームの内側の面に外から見えない接続装置が取り外し可能に固定された受容レールが配置されている。この接続装置には壁と直角に支持体要素がクランプ接続によって配置されている。フレームの垂直脚部とフレームを覆う化粧張り部材は、Ｕ形の被覆形材で覆われている。ここでの問題点は、構成部材の数が多く、それに伴って組み付けコストも高いことである。
【先行技術文献】
【特許文献】
【０００３】
【特許文献１】ＷＯ０３／０８７４８８
【発明の概要】
【発明が解決しようとする課題】
【０００４】
本発明の課題は、改善されたディスプレイ装置を提供することである。
【課題を解決するための手段】
【０００５】
上述の課題は請求項１又は請求項２の特徴を有するディスプレイ装置によって解決される。
【０００６】
本発明の有利な構成が従属請求項に記載されている。本発明に係るディスプレイ装置は、一以上の部分から成る少なくとも１本の形材を有すると共に、本質的に水平に向けられた少なくとも１枚の平坦な棚要素と、少なくとも１個のブラケット要素とを有する。各形材は、少なくとも１枚の中央腹板と、その上に配置された２個の平行な内側フランジとを備える。形材の内の少なくとも１本は垂直に向けられている。ブラケット要素は、少なくとも１本の挟み込みねじによって互いに引き寄せることができる上側部品と下側部品とから構成されている。挟み込み面は本質的に互いに平行である。上側部品及び／又は下側部品は、内側フランジに嵌め込むか、又は内側フランジの間に差し込むことによって、圧入により取り外し可能に内側フランジに接続できるクランプレール及び／又はクランプレールセグメントを備える。少なくとも１個のブラケット要素の挟み込み面の間に各棚要素を挟み込みねじの締め付けにより、或いは圧力嵌めにより固定できる。棚板は例えば特に安全ガラスから成るガラス棚として形成される。クランプレール又はクランプレールセグメントを内側フランジに圧入して嵌め込めることによって、ブラケット要素の高さを自在に調節でき、簡単且つ確実に組み付けられる。クランプレールが内側フランジに嵌め込まれる場合は、クランプレールは特に対を成して互いに内側フランジの外面の間隔にほぼ等しいか、又はこれより僅かに小さい間隔を置いて配置され、クランプレール及び／又は内側フランジが弾性的に変形する結果として圧力嵌めが生じるようになっている。これに対しクランプレール又はクランプレールセグメントが内側フランジの間に差し込まれる場合には、それらの外面の間隔は内側フランジの外面の間隔にほぼ等しいか、又はこれより僅かに大きい。ここではクランプレールセグメントは、途中が切り欠かれているクランプレールを意味する。特に内側フランジの内の１個のクランプレールセグメントは他の内側フランジのクランプレールセグメントに対して形材の長手方向でずれている。なぜならば、このようなクランプレールセグメントは、連続したクランプレールより簡単で材料を節約して製作できるからである。ブラケット材料が鋳造される場合は特にそうである。クランプレール又はクランプレールセグメントも内側フランジも、簡単に嵌め合わせられるように取り除かれた縁部を有することができる。ブラケット要素が特に２個のクランプねじを有する２部分から成る構造であることによって、棚要素を嵌め入れる際の圧力が面全体に渡って一様に分布することが可能となる。棚要素はこの領域でクランプねじに対応する孔又はスリットを有する。更に２部分から成る構造により、棚要素を側方からブラケット要素に導入することができない場合に下方から上方に組み付けることが可能となる。本発明に係る他のディスプレイ装置は、それぞれ一体的に形成された少なくとも４本の形材（特に押し出し成形材）で取り囲むように構成された１体のフレームを有し、フレームには少なくとも１個の垂直面状の化粧張り要素が設けられる。各形材は、フレームによって包囲された面に垂直に向けられた少なくとも１枚の中央腹板と、フレームの外面に向けられた２個の互いに平行な外側フランジと、フレームの内面に向けられた２個の互いに平行な内側フランジとを備え、内側フランジの間の間隔が外側フランジの間の間隔より小さい。各化粧張り要素は少なくとも２本の形材の外側フランジの内の一外面に載っている。化粧張り要素は例えば、装飾又はテクスチャーを施した不透明なガラス板として形成できる。このようにしてディスプレイ面、広告支持体、隔壁等を低コストで作製できる。形材を一体的に形成することにより、組み付けコストは著しく低減する。
【０００７】
このディスプレイ装置においても好ましくは、少なくとも１枚の水平な棚要素が設けられて、それぞれ少なくとも１個のブラケット要素によって保持され、ブラケット要素は上述したように２部分から成るか、又は他の構造で構成されることができる。ブラケット要素は２本の互いに向き合う本質的に垂直に向けられた形材の内の少なくとも１本の内側フランジに高さ調節可能に配置され、本質的に互いに平行な挟み込み面２面と、内側フランジに嵌め込むか、又は内側フランジの間に嵌め込むことによって、圧入により取り外し可能に内側フランジに接続できるクランプレール又はクランプレールセグメントによるガイドとを有している。各棚板は、少なくとも１個のブラケット要素の挟み込み面の間に圧力嵌めにより固定できる。特にブラケット要素の寸法は、化粧張り要素の載置を妨げないようにするために、外側フランジの外面を越え出ないように設定されている。各棚板の上方と下方で、好ましくは各１枚の化粧張り要素が棚板に面一で接続している。このようにすることによって棚板の固定手段は挟み込み装置内に隠れるので、全体の美的印象は例えば特に安全ガラスから成るガラス棚として形成される棚板と、例えば装飾又はテクスチャーを施した不透明なガラス板として形成される化粧張り要素のデザインだけで決まる。クランプレール又はクランプレールセグメントを内側フランジに圧入して嵌め込めることによって、ブラケット要素の高さを自在に調節でき、簡単且つ確実に組み付けられる。クランプレールが内側フランジに嵌め込まれる場合は、クランプレールは特に対を成して互いに内側フランジの外面の間隔にほぼ等しいか、又はこれより僅かに小さい間隔を置いて配置され、クランプレール及び／又は内側フランジが弾性的に変形する結果として圧力嵌めが生じるようになっている。これに対しクランプレール又はクランプレールセグメントが内側フランジの間に差し込まれる場合には、それらの外面の間隔は内側フランジの外面の間隔にほぼ等しいか、又はこれより僅かに大きい。クランプレールセグメントは、途中が切り欠かれているクランプレールを意味する。特に内側フランジの内の１個のクランプレールセグメントは他の内側フランジのクランプレールセグメントに対して形材の長手方向でずれている。クランプレール又はクランプレールセグメントも内側フランジも、簡単に嵌め合わせられるように取り除かれた縁部を有することができる。
【０００８】
ここでもブラケット要素は、少なくとも１本の挟み込みねじによって互いに引き寄せることができる上側部品と下側部品とから構成され、上側部品と下側部品はそれぞれ挟み込み面を備え、上側部品及び／又は下側部品はクランプレール及び／又はクランプレールセグメントを備える。挟み込みねじを締め付けることにより棚要素を固定できる。ブラケット要素が特に２個のクランプねじを有する２部分から成る構造であることによって、棚要素を嵌め入れる際の圧力が面全体に渡って一様に分布することが可能となる。棚要素はこの領域でクランプねじに対応する孔又はスリットを有する。
【０００９】
好適な一実施形態において、ブラケット要素は、少なくとも１本、特に２本の挟み込みねじによって互いに引き寄せることができる上側部品と下側部品とから構成されている。挟み込み装置は上側部品と下側部品の互いに向き合わされた水平面と挟み込みねじによって形成されている。特に棚要素にガラス棚を使用する場合には、棚板の点状に荷重が掛かるのを避けるために、棚要素と下側部品若しくは上側部品との間に弾性的支承部材を設けることができる。棚要素は挟み込みねじのための孔又は好ましくはスリットを有しているので、挟み込みねじを取り外す必要なしに、棚板をまだ固定されていない挟み込み装置に側方から導入できる。上側部品及び／又は下側部品はクランプレール及び／又はクランプレールセグメントを備えており、両部材は形材と圧力嵌めによって接続できる。上側部品及び／又は下側部品は形材と隣接した領域にストッパーを有することができ、これによって上側部品の水平面と下側部品の水平面の間の最小間隔を、挟み込み時に棚要素が破損されないように設定できる。
【００１０】
ブラケット要素又は上側部品及び／又は下側部品は少なくとも１個の突出部を有し、少なくともブラケット要素が内側フランジに向かって最大限押圧されると、突出部が内側フランジの間又は固定腹板の間に圧力嵌めされる。特にブラケット要素は上端部と下端部にそれぞれ１個の突出部を有する。上側部品と下側部品を有するブラケット要素を使用する場合、上側部品と下側部品は好ましくはそれぞれの上端部及び下端部にそれぞれ１個の拡張突出部を有している。圧力嵌めが改善されることにより、ブラケット要素と形材の接続の安定性を増すことができる。
【００１１】
好適な一実施形態においてブラケット要素は少なくとも１本の留めねじで形材に固定できる。留めねじはブラケット要素が内側フランジから滑落しないように追加的な安定性を与える。更に留めねじはブラケット要素が内側フランジに完全に押圧されることを容易にし、突出物が内側フランジの間で圧縮される。
【００１２】
好ましくは、各内側フランジがその縁部に中央腹板と平行にそれぞれ他方の内側フランジに向いた１枚の固定腹板を備える。この固定腹板は内側フランジの部分であり、例えば留めねじに対してカウンターナットを保持するのに適しているため、留めねじを非常に簡単に固定できる。内側フランジの間に保持されたブラケット要素の場合は、そのクランプレール又はクランプレールセグメントが固定腹板の間で固定される。
【００１３】
好適な一実施形態において、２本の形材の隣接する端部の間に角継ぎ手が設けられており、両形材の中央腹板と両内側フランジと両固定腹板とによって囲まれた空間のそれぞれ１部分に、端部から角継ぎ手を遊び無しに或いは僅かな遊びで形材が互いに直角になるように挿入できる。角継ぎ手はそれぞれ１個の端部で互いに直角をなす２個の直方体の形態で形成でき、各直方体は中央腹板と両内側フランジと両固定腹板とによって囲まれた空間のそれぞれ１部分に、形材の端部から遊び無しに或いは僅かな遊びで挿入できる。このように構成することによって２本の形材の端部を最小限の組み付けコストで互いに接続できる。このために形材の端部は、好ましくは交角４５度の斜め継ぎ面として形成されている。
【００１４】
角継ぎ手は好ましくは少なくとも１個のねじ山を有しており、中央腹板に設けられた第１の孔を通ってねじ山に螺合させた位置決めねじによって滑らないように固定できるので、角部の接続は特に安定する。
【００１５】
特に好適な実施形態において、各外側フランジがその縁部に中央腹板と平行にそれぞれ１枚の外部腹板を有しており、外部腹板がそれぞれ他方の外側フランジに向き、及び／又はそれぞれ他方の外側フランジから離れる方向に向いている。外面に化粧張り要素が当接している外側フランジの外部腹板が、他方の外側フランジから離れる方向に向いている外部腹板を有している場合、化粧張り要素はこの方向で側方に脱落しないように固定されている。互いに向き合う形材でこのように固定された化粧張り部材は、上と下でそれぞれ１個の棚要素と面一で接しており、それによって滑落又は脱落しないように完全に固定されている。
【００１６】
好ましくは形材の内面に内側フランジと平行に２個の補助フランジが、補助フランジの間に内側フランジが位置するように配置されている。補助フランジの間の間隔は内側フランジの間の間隔より大きく、且つ外側のフランジの間の間隔より小さい。化粧張り要素が少なくとも１本の形材の補助フランジの内の１個に少なくとも１個の組み付け補助固定手段によって取り外し可能に固定できる。最初に棚要素のうちの１個を組み付け、化粧張り要素自体はまだフレームに固定されていない場合に、組み付け補助固定手段は、化粧張り要素の組み付けを容易にする。また、特に上部又は下部で棚要素ではなく外部腹板に接している化粧張り要素において、組み付け補助固定手段は、化粧張り要素を組み付けられた状態において追加的に固定する。このようにすることによってディスプレイ装置の部品の製造又は組み付けにおける測定誤差も、化粧張り要素の脱落防止に影響を与えることはない。
【００１７】
組み付け補助固定手段は、好ましくは２本の互いに接着する条片から成る面ファスナーとして構成され、第１の条片が補助フランジ上に配置され、第２の条片が化粧張り要素の裏面に配置され、接着されている。面ファスナーは非常に単純で廉価な接続手段を成している。
【００１８】
好適には、形材の内の少なくとも１本が壁組み付け要素によって壁に固定でき、この壁組み付け要素は、壁に固定するための少なくとも１個の第２の孔又は少なくとも１個の長穴を備えるプレートとクリップとを有し、このプレートは外側フランジの外面に当接しており、プレートと不動に接続された、又は特に調節可能に接続されたクリップが内側フランジの内の１個と補助フランジの内の１個との間、又は内側フランジの間に嵌入して、形材がその内面の方向に、且つフレームによって包囲された面と垂直方向に壁と垂直に滑らないように固定されている。特に２本の互いに向き合って垂直に配置された形材には、それぞれ少なくとも１個の壁組み付け要素、特に２個の壁組み付け要素が設けられており、ディスプレイ装置が両側で固定されている。ディスプレイ装置を特定の高さに配置するために、壁組み付け要素は下部及び／又は上部の形材にも設けることができる。
【００１９】
形材の内の少なくとも１本に化粧張り要素を固定するための少なくとも１個の固定要素が設けられていることが好都合である。
【００２０】
一実施形態において、この固定要素は、化粧張り要素の裏面に配置され、特に接着された保持クリップの形態を有することができる。保持クリップは弾性的な係止要素を備え、化粧張り要素がその前面の方向に脱落しないように、係止要素が内側腹板のうちの１個の後部に、或いは補助腹板の内の１個の後部に突入して固定される。特に化粧張り要素と化粧張り要素が当接している形材との間に複数の保持クリップを配置することによって、化粧張り要素が前方に傾くのを追加的に防止できる。
【００２１】
代替的又は追加的な固定要素は、化粧張り要素の裏面に配置された（特に接着された）固定プレートである。固定プレートは止め板を備えており、化粧張り要素がその前面の方向に脱落しないように、角継ぎ手の内の１個の位置決めねじ又は他のねじを止め板にねじ込める。こうして位置決めねじについて二重の効用が生じる。他のねじは中央腹板の他の孔を通して止め板にねじ込むことができる。特に最上部と最下部の化粧張り要素は脱落しないようにフレームに圧力嵌めされている。
【００２２】
特に好ましい一実施形態においては、両外側フランジの内面に中央腹板と外部腹板との間にそれぞれ１個の内部腹板が配置され、内部腹板の縁部の間の間隔が外部腹板の互いに向き合う縁部の間の間隔と等しい。このようにすることによって接続形材の受容部が、例えば箱形材の構造として生じる。これにより例えば複数のディスプレイ装置を並置でき、ディスプレイ装置が固定された壁面が平坦でない等の結果としてフレームが互いに傾き、面倒な修正をしなければならないことが避けられる。３５ｍｍ×２０ｍｍの標準箱形材の使用を可能にするために、内部腹板の縁部の間の間隔は２０〜２１ｍｍであり、内部腹板の外面と外部腹板の外面との間隔は１７．５〜２０ｍｍである。或いは、外側フランジの間隔は、フランジ間に接続形材を導入できるように選択することもできる。この場合、内部腹板、及びそれぞれ他方の外側フランジを向いている外部腹板の部材は存在しなくなる。
【００２３】
下側の水平形材に少なくとも１個の高さ調節のための調節要素が配置されていることが好ましい。特にディスプレイ装置の垂直調整を容易にするために、下側プロフィルのそれぞれ一方の端部に２個の調節要素が設けられている。
【００２４】
このために好ましくは下側形材の外側フランジの間に箱形材、特に３５ｍｍ×２０ｍｍの標準箱形材が配置されている。調節要素は調節ねじと、調節ナットと、箱形材の形材に向けられた面に設けられた第３の孔と、下側形材の中央腹板に設けられた第４の孔とを有する。第３の孔は下方に向いている第１の調節ねじ端を差し通すのに十分大きく形成されている。上方に向いている第２の調節ねじ端はスリットを備えていて、ねじ回しを用いて調節ねじをねじ込めるようになっている。第の孔は第２の調節ねじ端を差し通すのに十分大きく形成されている。調節ナットは内側フランジの間に配置されて、回動しないように内側フランジによって固定されていて、調節ナットに調節ねじをねじ込める。フレームの高さと向きを調整するために、調節ねじは最初に形材の外面からその第２の調節ねじ端を第４の孔に通して、内側フランジの間に側方に導入されたナットにねじ込む。次に第１の調節ねじ端を第３の孔を通して箱形材に差し込み、中央腹板又は第１の調節ねじ端に当たって止まるまで外側フランジの間に導入する。箱形材から成るフレームを底部に組み付け位置で載置すると、ねじ回しを用いて第２の調節ねじ端を回すことによってディスプレイ装置の高さ及び／又は向きの調整を行うことができる。
【００２５】
標準化されたねじを調節ねじとして使用できるようにするために、又は箱形材の、第２の調節ねじ端によって負荷された部材にディスプレイ装置の荷重をより良好に、即ち１点に集中しないように配分するために、第２の調節ねじ端をねじ頭、例えば六角ねじ頭によって形成できる。
【００２６】
以下、本発明の実施例を図面を参照して詳しく説明する。
【００２７】
更なる一実施形態においては、２本又は３本又は４本の形材がそれらの外側フランジに沿って、箱形材又はＬ形材又はＴ形材又はＸ形材として形成されて形材の外側フランジの間に挿入された接続形材によって互いに接続できる。接続形材は形材の外側フランジ又は内部腹板と内部腹板との間で遊びなく、又は僅かな遊びで保持されるように形成されている。このようにすることによって複数の互いに直角、Ｔ形又は十字形に並置されたフレームからディスプレイ装置を作製できる。例えば、円形の棚要素を保持するそれぞれ１個のブラケット要素を同じ高さに有することが可能な２本の形材を、外側フランジで接続してディスプレイ装置を作製することも可能である。この場合、棚要素の保持部は十分に大きい管状の化粧張り要素によって簡単に装飾的に隠すことができる。
【００２８】
接続形材の使用時に、好ましくは形材の内の少なくとも１本の中央腹板及び／又は接続形材は、形材の内の少なくとも１本の中央腹板に向けられた面に少なくとも１個の長穴が設けられており、これらの長穴は長手方向に延びて端部で拡大されて第５の孔が形成されている。長穴の内の１個に対応して形材の内の少なくとも１本の中央腹板及び／又は接続形材に、形材の内の１本の中央腹板に向けられた面に突片が設けられており、突片の寸法は、突片が第５の孔を通過した後に長穴内に移動でき、取り外し可能な接続が生じるように設定されている。このようにすることによって形材と接続形材は、工具を用いずに迅速に互いに掛着できる。
【００２９】
特に好ましくは、接続形材の、中央腹板の内の１枚に向けられた各面に第５の孔を有する少なくとも１個の長穴が設けられている。中央腹板の内の１枚に向けられた一方の面の全ての長穴が、接続形材の第１の端部に向かってそれぞれ第５の孔を有し、中央腹板の内の１枚に向けられた他方の面の全ての長穴が、接続形材の第２の端部に向かってそれぞれ第５の孔を有している。全ての中央腹板がこれに対応して突片を備える。このようにすることによって例えば最初に第１のディスプレイ装置を仕上げることができる。次に接続形材が形材の内の１本に掛着される。この接続形材には他のディスプレイ装置の形材も掛着できる。ここで組み付け順序を、例えば接続形材に印刷するか、又は張りつけて指示することが好ましい。
【００３０】
他の実施形態においては、固定要素が化粧張り要素の裏面に配置された受容部と、化粧張り要素の前面から磁石で操作できる揺動可能なボルトを有している。ロック位置ではボルトは内側フランジの内の１個の後部又は補助フランジの内の１個の後部を把持して、化粧張り要素がその前面の方向に脱落しないように固定されている。このためにボルトは強磁性材料によって形成されている。受容部は化粧張り要素の裏面にねじ止め又は接着された薄板として形成されることができる。
【図面の簡単な説明】
【００３１】
【図１】形材とブラケット要素と棚要素とを備えるディスプレイ装置の部分分解斜視図である。
【図２】形材とブラケット要素と棚要素とを備えるディスプレイ装置の部分斜視図である。
【図３】接続形材によって互いに接続された２体の化粧張りを有するフレームから成るディスプレイ装置の斜視図である。
【図４】形材と角継ぎ手を備えるディスプレイ装置の部分斜視図である。
【図５】形材と化粧張り要素と固定要素を備えるディスプレイ装置の部分斜視図である。
【図６】接続形材によって接続された２本の形材の種々の図である。
【図７】形材と化粧張り要素と固定要素とがロック解除位置にあるディスプレイ装置の他の実施形態の部分斜視図である。
【図８】固定要素がロック位置にある、図７に示すディスプレイ装置の部分斜視図である。
【発明を実施するための形態】
【００３２】
全図面において互いに対応する部材には同じ部材番号を付す。
【００３３】
図１は、形材２とブラケット要素３、並びに棚要素４と接続形材５．１を備えるディスプレイ装置１．１の分解斜視図である。アルミニウム製の形材は中央腹板６と、これに配置された２個の内側フランジ７と２個の外側フランジ８と２個の補助フランジ９を有している。内側フランジ７にはそれぞれ１個の固定腹板１０が配置されている。外側フランジ８はそれぞれ外部腹板１１と内部腹板１２を備える。ブラケット要素３は上側部品１３と下側部品１４の２部分から構成されており、本例では同一の部品から形成されている。上側部品１３と下側部品１４はそれぞれ挟み込み面１５を有する。挟み込み面１５の間には棚要素４が挟み込まれている。圧力を配分するためにそれぞれ棚要素４の面と挟み込み面１５との間には、例えばシリコンゴムから成る弾性的支承部材１６が設けられている。棚要素４は強化ガラスからなる。棚要素４を挟み込むために上側部品１３と下側部品１４は２本の挟み込みねじ１７によって互いに引き寄せられている。上側部品１３と下側部品１４はそれぞれ、圧入により取り外し可能に内側フランジに接続して内側フランジ７と接続できるクランプレール１８を備える。クランプレール１８は対を成して互いに内側フランジ７の外面の間隔にほぼ等しいか、又はこれより僅かに小さい間隔を置いて配置されており、それによってクランプレール１８及び／又は内側フランジ７が弾性的に変形する結果として圧力嵌めが生じるようになっている。追加的な圧力嵌めのために、上側部品１３と下側部品１４に取り付けた突出部１９（ここでは上側部品１３にのみ示す）が働く。突出部１９の領域に設けられた止め孔２０は、上側部品１３と下側部品１４を形材２に追加的に固定できる（図示せず）止めねじ（図示せず）を受容する。止めねじは、例えば固定腹板１０の後部に保持される止めナットにねじ込まれてもよい。ここではクランプレール１８は、ブラケット要素の作製を容易にするためにクランプレールセグメントとして形成されている。クランプレールセグメントは連続して形成することもできる。接続形材５．１は外部腹板１１と内部腹板１２の相互の間隔にほぼ等しい幅を有するので、これらの間に押し入れることができる。接続形材５．１の、なおも形材２から突出している部分には他の形材２を嵌め込むことができるので（図示せず）、形材２を互いに位置合わせすることが不要となる。
【００３４】
図２は形材２とブラケット要素３と棚要素４を図１に比べて縮小して示している。この部分図では、くりぬき部２２によって、どのように棚要素４がブラケット要素３に保持されるかが明らかとなる。くりぬき部２２は挟み込みねじが通されるか、或いは形材２が延びる箇所に設けられている。
【００３５】
図３は、それぞれ４本の形材２で取り囲んで形成された、互いに接続形材によって接続された２体のフレーム２３．１、２３．２から成るディスプレイ装置１．２の他の実施形態を示す。形材２はそれらの端部にそれぞれ４５度の斜め継ぎ面を備え、図示しない角継ぎ手２４によって、図４に示すように互いに接続されている。両フレームの内の左側のフレーム２３．１は化粧張り要素２５を付けている。化粧張り要素２５はフレーム２３．１の形材２の各外側フランジ８上に載置され、それらの外部腹板１１（ここでは図示せず）によって側方が囲まれる。化粧張り要素２５は、装飾又はテクスチャーを施した不透明なガラス板を備える。両フレーム２３．１、２３．２は、フレーム２３．１、２３．２の互いに向き合う形材２の外側フランジ８の間に接続形材５．１を押し入れて掛着させることにより互いに接続可能である。詳細を図６ａ〜６ｄに示す。図示される接続形材５．１は箱形に形成されている。接続形材５．２の他の変形例をフレーム２３．１の側に示す。この接続形材５．２は十字形に形成されて、４本の形材を互いに直角に接続できるようになっている。接続形材５に関する他の変形例は、例えば２本の形材２を９０度で接続するためにＬ形を呈するか、３本の形材２を接続するためにＴ形を呈する。ここに示すディスプレイ装置１．２も、図１及び図２に示すように棚要素４とブラケット要素３を備えることができることは自明である。この場合、複数の棚要素４の上方、下方及び間にそれぞれ固有の化粧張り要素２５を使用できる。これらの化粧張り要素２５は直接棚要素４に接するので、ブラケット要素３が覆われて全体の美的印象は化粧張り要素２５と棚要素４のデザインだけで決まる。
【００３６】
図４は、形材２と角継ぎ手２４を備えるディスプレイ装置１．１、１．２の部分斜視図である。角継ぎ手２４は互いに直角をなす２本の脚部２６を有している。脚部２６の寸法はそれぞれ、中央腹板６と両内側フランジ７と両固定腹板１０とによって囲まれた空間の１部分に、形材２の端部から遊びなく、或いは僅かな遊びで導入できるように設定されている。形材２（見やすさのため１本のみを示す）は、それらの端部にそれぞれ４５度の斜め継ぎ面を備える。角継ぎ手２４と形材２を良好に一緒に保持するために軽い圧力嵌めが有利である。この保持は角継ぎ手２４内に切られたねじ山と、形材２の中央腹板６内に設けられた第１の孔を通してねじ山に螺合させた位置決めねじによって滑らないように固定される（図示せず）。
【００３７】
図５は、形材２と化粧張り要素２５と固定要素２７を備えるディスプレイ装置１．１、１．２の部分斜視図である。図示される例においては、固定要素２７が、化粧張り要素２５の裏面に張り付けられた保持クランプとして形成されている。保持クランプは弾性的な係止要素２８を備えており、化粧張り要素２５がその前面の方向に脱落しないように、係止要素２８が両内側フランジ７の間に突入して係止する。通常、多数のそのような固定要素２７又は他の固定要素２７が各化粧張り要素２５に配置される。
【００３８】
図６ａ〜６ｄは、接続形材５．１によって接続された２本の形材２の種々の図である。図６ｄは断面図、図６ａ及び図６ｃはＹとＺで表される面に沿った縦断面図、そして図６ｂはＡとＢで表される面に沿った縦断面図である。接続形材５．１は箱形材として形成され、その外寸は、一方では外部腹板１１と内部腹板１２との間、他方では形材２の中央腹板６の間に遊びなく、或いは僅かな遊びで配置されるように選択されている。接続形材５．１の、それぞれ中央腹板６に向けられた面に長穴２９．１、２９．２が設けられており、これらの長穴はそれぞれ端部で拡大されて第５の孔３０が形成されている。各長穴２９．１、２９．２に対応して中央腹板６に突片３１が設けられている。突片３１の寸法は、突片３１が第５の孔３０を通過した後に長穴２９．１、２９．２内に移動でき、取り外し可能な接続が生じるように設定されている。長穴２９．１では第５の穴が上方に、長穴２９．２では下方に設けられている。例えば最初にフレーム２３．１が構成されていると、接続形材５．１は長穴２９．２によりフレーム２３．１に属する形材２内に掛着できる。次に接続形材５．１の他方の側からフレーム２３．２に属する形材２を長穴２９．１に掛着して、フレーム２３．２が構成される。組み付け順序は形材２及び／又は接続形材５．１、５．２上に表示できる。図６ｄから明らかなように、両フレーム２３．１、２３．２は化粧張り要素２５を備える。フレーム２３．２の図示されたフレーム２は補助フランジ９を備える。フレーム２に化粧張り要素２５を容易に組みつけられるようにするために、補助フランジ９と化粧張り要素２５との間に組み付け補助固定手段が、例えば２本の互いに接着する条片から成る面ファスナーとして設けられている。この場合、第１の条片は補助フランジ９上に配置され、第２の条片は化粧張り要素２５の裏面に配置されている。
【００３９】
図７は、形材２と化粧張り要素２５と固定要素２７を備えるディスプレイ装置１．１、１．２の他の実施形態の部分斜視図である。固定要素２７は、化粧張り要素２５の裏面に配置された受容部３２と、化粧張り要素２５の前面から磁石で操作できる、受容部３２で揺動可能なボルト３３を有する。ボルト３３はロック解除位置にある。ボルト３３は図８に示すように、磁石によって接続形材２５の前面からロック位置に揺動できる。
【００４０】
図８では、ボルト３３が補助フランジ９の後部を把持しているロック位置にあり、化粧張り要素２５はその前面の方向に脱落しないように固定されている。
【００４１】
ボルト３３は特に強磁性材料によって形成されている。受容部３２は化粧張り要素２５の裏面にねじ止め又は接着された薄板として形成されることができる。
【００４２】
また、ボルト３３はロック位置では内側フランジ７の後部を把持するように形成することもできる。
【００４３】
図示されたクランプレール１８はクランプレールセグメントとして、途中が切り欠かれているクランプレールの形態で形成することができる。特に内側フランジ７の内の１個のクランプレールセグメントは、他の内側フランジ７のクランプレールセグメントに対して形材２の長手方向でずれている。
【００４４】
形材２は好ましくはアルミニウムの押し出し成形材として作製されている。
【００４５】
ディスプレイ装置１．２は図示されたブラケット要素３とは別のブラケット要素、特に１部分からなるが、少なくともクランプレール１８又はクランプレールセグメントを有するブラケット要素と組み合わせることができる。
【００４６】
ディスプレイ装置１．１は図示された形材２とは別の、しかし少なくとも内側フランジ７を有する形材と組み合わせることができる。
【００４７】
ブラケット要素３における挟み込みねじ１７の数、及びこれに対応する棚要素４におけるくり抜き部２２の数と形態は、実施例に示したものと異なるように選択することができる。
【００４８】
上側部分１３及び／又は下側部分１４は互いに、棚要素４に作用する押圧力を制限するための最小間隔を有するストッパーを有することができる。
【００４９】
形材２の内の少なくとも１本は壁組み付け要素によって壁に固定でき、壁組み付け要素が例えば壁に固定するための少なくとも１個の第２の孔又は少なくとも１個の長穴を備えるプレートとクリップとを有し、このプレートは外側フランジ８の内の１個の外面に当接しており、プレートと不動に又は特に調節可能に接続されたクリップが内側フランジ７の内の１個と補助フランジ９の内の１個との間、又は補助フランジ９の間に嵌入して、形材２がその内面の方向に、且つフレーム２３．１、２３．２によって包囲された面と垂直方向に滑らないように固定される。
【００５０】
固定要素２７として代替的又は追加的に、化粧張り要素２５の裏面に配置された（特に貼り付けられた）少なくとも１枚の固定プレートが設けられている。固定プレートは止め板を有しており、化粧張り要素２５がその前面の方向に脱落しないように、角継ぎ手２４の内の１個の位置決めねじ又は他のねじを止め板にねじ込むことができる。
【００５１】
接続形材５．１として３５ｍｍ×２０ｍｍの標準箱形材を使用可能とするために好ましくは、内部腹板１２の縁部と外部腹板１１との間隔は２０〜２１ｍｍであり、中央腹板６の外面と外部腹板１１の外面との間隔は１７．５〜２０ｍｍである。また、外側フランジ８の間隔は、それらの間に接続形材５．１〜５．ｎを導入できるように選択することもできる。この場合、内部腹板１２、及びそれぞれ外側フランジ８を向いている外部腹板１１の部材はなくなる。
【００５２】
下側の水平形材２に少なくとも１個の高さ調節のための調節要素が配置されていることが好都合である。特にディスプレイ装置１．１、１．２の垂直調整を容易にするために、下側プロフィル２のそれぞれ一方の端部に２個の調節要素が設けられている。このために種々の市販の調節要素を組み入れることができる箱形材、特に３５ｍｍ×２０ｍｍの標準箱形材を下側形材の外側フランジの間に配置することが好ましい。
【００５３】
他の可能なディスプレイ装置１は、円形棚要素４を保持するブラケット要素３を同じ高さに有する２本の形材２が、外側フランジ８で接続形材５．１によって接続されている。この場合、棚要素４の保持部は十分に大きい管状の化粧張り要素によって簡単に装飾的に隠すことができる。
【００５４】
ブラケット要素２は、クランプレール１８を内側フランジ７又は固定腹板１０の間に差し込むことによってこれらと接続できるように構成することもできる。
【符号の説明】
【００５５】
１    ディスプレイ装置
２    形材
３    ブラケット要素
４    棚要素
５    接続形材
６    中央腹板
７    内側フランジ
８    外側フランジ
９    補助フランジ
１０    固定腹板
１１    外部腹板
１２    内部腹板
１３    上側部品
１４    下側部品
１５    挟み込み面
１６    弾性的支承
１７    挟み込みねじ
１８    クランプレール
１９    突出部
２０    止め穴
２１    止めナット
２２    くりぬき部
２３    フレーム
２４    角継ぎ板
２５    化粧張り要素
２６    脚部
２７    固定要素
２８    係止要素
２９    長穴
３０    第５の孔
３１    突片
３２    受容部
３３    ボルト
【図１】
2010504177.tif 000003
【図２】
2010504177.tif 000004
【図３】
2010504177.tif 000005
【図４】
2010504177.tif 000006
【図５】
2010504177.tif 000007
【図６ａ−６ｄ】
2010504177.tif 000008
【図７】
2010504177.tif 000009
【図８】
2010504177.tif 000010
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
一以上の部分から成る少なくとも１本の形材（２）を有すると共に、本質的に水平に向けられた少なくとも１枚の平坦な棚要素（４）と、少なくとも１個のブラケット要素（３）とを有するディスプレイ装置（１．１）であって、各形材（２）は、少なくとも１枚の中央腹板（６）とその上に配置された２個の互いに平行な内側フランジ（７）とを備え、形材（２）の内の少なくとも１本は垂直に向けられ、ブラケット要素（３）は、少なくとも１本の挟み込みねじ（１７）によって互いに引き寄せることができる上側部品（１３）と下側部品（１４）とから構成され、上側部品（１３）と下側部品（１４）はそれぞれ本質的に互いに平行な挟み込み面（１５）を備え、上側部品（１３）及び／又は下側部品（１４）は、内側フランジ（７）に嵌め込むか、又は内側フランジ（７）の間に差し込むことによって、圧入により取り外し可能に内側フランジ（７）に接続できるクランプレール（１８）及び／又はクランプレールセグメントを備え、挟み込みねじ（１７）の締め付けにより、少なくとも１個のブラケット要素（３）の挟み込み面（１５）の間に各棚要素（４）を圧力嵌めにより固定できるディスプレイ装置。
【請求項２】
形材（２）は、４本の形材（２）で取り囲むように構成されたフレーム（２３．１〜２３．ｎ）の外面に向けられた互いに平行な外側フランジ（８）を備えることを特徴とする、請求項１記載のディスプレイ装置（１.１）。
【請求項３】
少なくとも１枚の垂直な面状の化粧張り要素（２５）が配置され、各化粧張り要素（２５）が少なくとも２本の形材（２）の外側フランジ（８）の１個の外面に載置されることを特徴とする、請求項２記載のディスプレイ装置（１.１）。
【請求項４】
各内側フランジ（７）は、その縁部に中央腹板（６）と平行にそれぞれ他方の内側フランジ（７）に向いている固定腹板（１０）を備えることを特徴とする、請求項１〜３の１項記載のディスプレイ装置（１．１）。
【請求項５】
フレームのそれぞれの２本の形材（２）の隣接する端部の間に角継ぎ手（２４）が設けられており、両形材（２）の中央腹板（６）と両内側フランジ（７）と両固定腹板（１０）とによって囲まれた空間のそれぞれ１部分に、端部から角継ぎ手（２４）を遊びなく又は僅かな遊びで形材（２）が互いに直角になるように挿入できることを特徴とする、請求項４記載のディスプレイ装置（１．１）。
【請求項６】
形材（２）の内面に内側フランジ（７）と平行に２個の補助フランジ（９）が、補助フランジ（９）の間に内側フランジ（７）が位置するように配置され、補助フランジ（９）の間の間隔が内側フランジ（７）の間の間隔より大きく、且つ外側のフランジ（８）の間の間隔より小さく、化粧張り要素（２５）が少なくとも１本の形材（２）の補助フランジ（９）の内の１個に少なくとも１個の組み付け補助固定手段によって取り外し可能に固定できることを特徴とする、請求項３〜５の１項記載のディスプレイ装置（１．１）。
【請求項７】
フレーム（２３．１〜２３．ｎ）の下側を画定している形材（２）に少なくとも１個の高さ調節のための調節要素が配置されていることを特徴とする、請求項２〜６の１項記載のディスプレイ装置（１．１）。
【請求項８】
フレーム（２３．１〜２３．ｎ）の下側を画定している形材（２）の外側フランジ（８）の間に箱形材が配置され、調節要素は、調節ねじと、調節ナットと、箱形材の形材（２）に向けられた面に設けられた第３の孔と、下側形材（２）の中央腹板（６）に設けられた第４の孔とを有し、第３の孔は下方に向いている第１の調節ねじ端を差し通すのに十分大きく、第２の調節ねじ端はスリットを備えており、第４の孔は第２の調節ねじ端を差し通すのに十分大きく、調節ナットは内側フランジ（７）の間に配置されていて回動しないように内側フランジ（７）により固定され、調節ナットに調節ねじをねじ込めることを特徴とする、請求項７記載のディスプレイ装置（１．１）。
【請求項９】
２本又は３本又は４本の形材（２）がそれらの外側フランジ（８）に沿って、箱形材又はＬ形材又はＴ形材又はＸ形材として形成されて形材（２）の外側フランジ（８）の間に挿入された接続形材（５．１〜５．ｎ）によって互いに接続でき、接続形材（５．１〜５．ｎ）は形材（２）の外側フランジ（８）又は内部腹板（１２）と内部腹板（１１）との間で遊びなく、又は僅かな遊びで保持されることを特徴とする、請求項２〜８の１項記載のディスプレイ装置（１．１）。
【請求項１０】
形材（２）の内の少なくとも１本の中央腹板（６）及び／又は接続形材（５．１〜５．ｎ）は、形材（２）の内の少なくとも１本の中央腹板（６）に向けられた面に少なくとも１個の長穴（２９．１、２９．２）が設けられており、これらの長穴は長手方向に延びて端部で拡大されて第５の孔（３０）が形成されており、長穴（２９．１、２９．２）の１個に対応して形材（２）の内の少なくとも１本の中央腹板（６）及び／又は接続形材（５．１〜５．ｎ）に、その形材（２）の１本の中央腹板（６）に向けられた面に突片（３１）が設けられており、突片（３１）の寸法は、突片（３１）が第５の孔（３０）を通過した後に長穴（２９．１、２９．２）内に移動でき、取り外し可能な接続が生じるように設定されていることを特徴とする、請求項９記載のディスプレイ装置（１．１）。
【国際調査報告】
2010504177.tif 000011
2010504177.tif 000012
2010504177.tif 000013
2010504177.tif 000014